(57)【要約】【課題】ルームカードに特殊機能を併せ持たせることにより、防犯機能および利用者の利便性を一層向上させる。【解決手段】この発明のエレベータを備えたビルディングのサービス装置は、利用者が携帯するルームカード（７Ｃ）に記録された識別情報を読み取り、予め登録された特定個人であることを識別したとき、エレベータ乗りかご（４）の自動呼び寄せ、および行き先階の自動登録を行うホール呼び登録手段（７Ａ）を各階のエレベータ乗り場に備え、行き先階のルームドア（２）に備えられたドアロック解除装置（３）がルームカード（７Ｃ）に記録された識別情報を読み取り、予め登録された特定個人であることを識別したとき、ロックされたルームドア（２）のロックを解除する。【選択図】  図１
2004262619.tif 000002
【特許請求の範囲】
【請求項１】
利用者が携帯するルームカードに記録された識別情報を読み取り、予め登録された特定個人であることを識別したとき、エレベータ乗りかごの自動呼び寄せ、および行き先階の自動登録を行うホール呼び登録手段を各階のエレベータ乗り場に備え、
行き先階のルームドアに備えられたドアロック解除装置が前記ルームカードに記録された識別情報を読み取り、予め登録された特定個人であることを識別したとき、ロックされたルームドアのロックを解除することを特徴とするエレベータを備えたビルディングのサービス装置。
【請求項２】
前記ルームカードは館内の特定の施設及び自己の部屋を指定する指定キーを有し、この指定キーによって前記ホール呼び登録手段を介して前記特定の施設または自己の部屋が指定されたとき、その指定に連動して前記エレベータ乗りかごの行き先階が特定され、前記エレベータ乗りかご内のかご呼び登録装置に前記行き先階を自動登録することを特徴とする請求項１に記載のエレベータを備えたビルディングのサービス装置。
【請求項３】
前記ルームカードはエレベータ乗りかごの呼び手段として、前記ホール呼び登録手段と連動するバーコードあるいは磁気カードによる呼び登録機構を備えていることを特徴とする請求項１または２に記載のエレベータを備えたビルディングのサービス装置。
【請求項４】
各階床の乗り場に、利用者に対して前記特定の施設あるいは部屋への案内報知を行う案内報知装置を備え、前記ルームカードにより行き先階が指定されたとき、その指定に連動して、関連する階床の案内報知装置が指定された行き先への案内報知を行うことを特徴とする請求項１ないし３のいずれか１項に記載のエレベータを備えたビルディングのサービス装置。
【請求項５】
目的階到着時に指定された各施設あるいは部屋に向かう経路を案内表示する手段を具備することを特徴とする請求項１ないし４のいずれか１項に記載のエレベータを備えたビルディングのサービス装置。
【請求項６】
前記ルームカードはセキュリティーコードを入力する手段と、前記ルームカードに入力されたセキュリティーコードが正しいものであるとき、前記ルームカードのリモコン機能の有効／無効の切換を行うキー手段とを備え、前記リモコン機能に対応し、前記ルームカードに入力されたセキュリティーコードが正しいものであるとき、前記キー手段によって入力された操作入力に従ってリモコン機能の有効／無効を切り換えるための書き込みを行う書き込み装置を備えたことを特徴とする請求項１ないし５のいずれか１項に記載のエレベータを備えたビルディングのサービス装置。
【発明の詳細な説明】
【０００１】
【発明の属する技術分野】
本発明は、エレベータを備えたエレベータを備えたビルディングのサービス装置に関する。
【０００２】
【従来の技術】
従来、図８に示すように、マンション等のセキュリティー対策の一環として、玄関階の出入口に設けられた玄関ドア３１の近くにドアロック解除手段３２を設け、ドアロック解除手段３２に予め登録された特定人が所持しているＩＤカードを通すか、暗証番号を入力することによりドアロック解除の操作をしたとき、それに連動してエレベータ３３の乗り場呼びボタン３４を押圧したのと同様の乗り場呼び登録をするとともに、エレベータ３３の応答後、上記特定人の居住階床のかご呼びをも自動登録するようにした、玄関階の呼び登録装置が提案されている（例えば、特許文献１参照）。ここでは、中から外へ、または外から中へと通過すると自動的にドアロックのかかる玄関ドア３１を有するマンション等のビルディングにおいて、玄関ドア３１のロック解除操作に連動して、エレベータの自動呼び登録を行うことにより、サービス性の向上を図っている。
【０００３】
さらに、居住部屋のドアとエレベータの乗り場ドアを共用するエレベータ装置において、居住階住民のセキュリティー向上を図ったものも提案されている（例えば、特許文献２参照）。ここでは、部屋への不法侵入者を検知する不法侵入検知手段を設けるとともに、エレベータの乗りかごの中に、乗客が所持する照合カードを読み取って特定個人であるか否かを識別する識別手段を設け、不法侵入検知手段が動作したときは、識別手段の識別結果に連動してエレベータが居住階に停止してもドアの開放を阻止するようにしている。
【０００４】
【特許文献１】
特公平７−１１５８０４号公報  （第２頁、第３図）
【特許文献２】
特開平５−２２９７５１号公報  （第３−４頁、図５）
【０００５】
【発明が解決しようとする課題】
特許文献１に記載された玄関階の呼び登録装置においては、ドアのロック解除に連動したエレベータ利用までは考えられているが、例えばホテル等におけるエレベータの降車後、そこから行き先部屋に入るまでのサービスについては配慮がなされていない。特にホテル等で自分の部屋に入る場合に限らず、レストランや大浴場（共同浴場）等の共用施設に行く際の案内サービスについては、何らの配慮もなされていない。
【０００６】
さらに、例えば、ホテル等の大浴場の脱衣場等では、不特定多数の客が出入りするにもかかわらず、貴重品を預けたりする施設や設備を設けていないことが多く、ルームキーまでも盗難に遭い、部屋の中に置いた貴重品等の盗難に遭ったりすることも少なくない。
【０００７】
特許文献２に記載されたエレベータ装置においては、乗客が所持する照合カードを読み取って特定個人であるか否かを識別し、その識別結果に連動して不法侵入者の行動を制限し得るようにしているだけであって、他のサービスまでは何ら考慮されていない。
【０００８】
本発明の目的は、ルームキーに代わるルームカードに特殊機能を併せ持たせることにより、防犯機能および利用者の利便性を一層向上させ得る、エレベータを備えたビルディングのサービス装置を提供することにある。
【０００９】
【課題を解決するための手段】
請求項１に係る発明のエレベータを備えたビルディングのサービス装置は、利用者が携帯するルームカードに記録された識別情報を読み取り、予め登録された特定個人であることを識別したとき、エレベータ乗りかごの自動呼び寄せ、および行き先階の自動登録を行うホール呼び登録手段を各階のエレベータ乗り場に備え、行き先階のルームドアに備えられたドアロック解除装置がルームカードに記録された識別情報を読み取り、予め登録された特定個人であることを識別したとき、ロックされたルームドアのロックを解除することを特徴とする。
【００１０】
請求項１に係る発明によれば、部屋のドアの施錠あるいはドアロック解除とエレベータの呼び登録の機能がルームカードを兼ねるルームカードに一体として組み込まれているので、ドアの施錠あるいはドアロック解除に続きエレベータの呼び登録がなされ、エレベータ利用のサービス性が向上する。
【００１１】
請求項２に係る発明は、請求項１に記載のエレベータを備えたビルディングのサービス装置において、ルームカードは館内の特定の施設及び自己の部屋を指定する指定キーを有し、この指定キーによってホール呼び登録手段を介して特定の施設または自己の部屋が指定されたとき、その指定に連動してエレベータ乗りかごの行き先階が特定され、エレベータ乗りかご内のかご呼び登録装置に行き先階を自動登録することを特徴とする。
【００１２】
請求項３に係る発明は、請求項１または２に記載のエレベータを備えたビルディングのサービス装置において、ルームカードはエレベータ乗りかごの呼び手段として、ホール呼び登録手段と連動するバーコードあるいは磁気カードによる呼び登録機構を備えていることを特徴とする。
【００１３】
請求項４に係る発明は、請求項２または３に記載のエレベータを備えたビルディングのサービス装置において、各階床の乗り場に、利用者に対して特定の施設あるいは部屋への案内報知を行う案内報知装置を備え、ルームカードにより行き先階が指定されたとき、その指定に連動して、関連する階床の案内報知装置が指定された行き先への案内報知を行うことを特徴とする。
【００１４】
請求項５に係る発明は、請求項２ないし４のいずれか１項に記載のエレベータを備えたビルディングのサービス装置において、目的階到着時に指定された各施設あるいは部屋に向かう経路を案内表示する手段を具備することを特徴とする。
【００１５】
請求項２ないし５に係る発明によれば、自分の部屋のみならず、館内の主要な施設あるいは部屋を指定することにより、施設あるいは部屋のある目的階が指定され案内してもらうことができ、館内案内のサービス性が向上する。また、ルームカードをバーコード式あるいは磁気カード式に構成することにより、簡易な構造で実現することができ、なおかつ変更に対して柔軟に対応することができる。
【００１６】
請求項６に係る発明は、ルームカードはセキュリティーコードを入力する手段と、ルームカードに入力されたセキュリティーコードが正しいものであるとき、ルームカードのリモコン機能の有効／無効の切換を行うキー手段とを備え、リモコン機能に対応し、ルームカードに入力されたセキュリティーコードが正しいものであるとき、キー手段によって入力された操作入力に従ってリモコン機能の有効／無効を切り換えるための書き込みを行う書き込み装置を備えたことを特徴とする。
【００１７】
請求項６に係る発明によれば、ルームカードを手放したり、どこかに預ける等した場合でも、セキュリティーコードを入力することにより、ルームカード機能の有効と無効の切換を行うことにより、ルームカードの不正使用を未然に防止することができる。
【００１８】
【発明の実施の形態】
以下、図を参照して本発明の実施の形態を説明する。
【００１９】
＜第１の実施の形態＞
図１ないし図４は本発明の一実施の形態を示すものである。ここでは、ビルディングとして数階以上のホテルを想定し、ホテルへの入館およびホテルからの退出は玄関階を通して行うものとする。ホテル内にはエレベータ１が設置され、宿泊階の各部屋の出入口にはオートロック式のルームドア２が設けられている。宿泊者は宿泊する部屋および一般客が利用し得るホテル施設への出入りのために玄関階のフロントでルームカード７Ｃを受け取り携帯する。ルームカード７Ｃの最も基本的な機能は、ロックされたルームドア２のロックを解除して開放可能にする、いわゆるルームキー機能であるが、ルームカード７Ｃは他の機能も備えており、それについては後述する。
【００２０】
ルームカード７Ｃは、いわゆるリモコン機能を有するカード形式のものとして構成され、図２（ａ）に示すように、表面の最上部に行き先となる部屋（宿泊部屋）あるいはホテル施設を表示するためのディスプレイ７１が設けられ、その下に、部屋および主要な施設の名称が刻印された複数の呼び登録ボタンが並んでいる。すなわち、部屋番号を刻印した宿泊階に向かうための部屋ボタン７２のほか、ロビーと刻印された玄関階（ロビー）に向かうためのロビーボタン７３、大浴場と刻印された大浴場階に向かうための大浴場ボタン７４、およびレストランと刻印されたレストラン階に向かうためのレストランボタン７５等の一般利用施設のための呼び登録ボタンが設けられている。ルームカード７Ｃの前面部には各呼び登録ボタン７２〜７５に連動する例えば赤外線式の信号送信部７６が設けられている。これに対応して、ホール呼び登録手段７Ａには、信号送信部７６からの光または磁気的な送信信号を受信するための受信部４０を備えている。
【００２１】
ルームカード７Ｃの裏側には、図２（ｂ）に示すように、これをルームドア２のドアロック解除装置３に形成されたルームカード挿入部３０（図３（ａ），（ｂ）参照）に挿入することにより、光学式または磁気式に読み取られるルームカード認識部７７が設けられている。ルームカード認識部７７には宿泊者（部屋）に割り当てられたＩＤ等が記録されている。各部屋のルームドア２に取り付けられるドアロック解除装置３に内蔵されているルームカード読取装置によって読み取れれるルームカード認識部７７がＩＣチップ、磁気カードあるいはバーコードの形で設けられている。言い換えれば、ルームカード認識部７７は相手方のルームカード読取装置と共同して、無線式または磁気式または光式に構成される。
【００２２】
通常のエレベータ装置と同様に、玄関階はもちろん各宿泊階のエレベータホールにはホール呼び登録手段７Ａが設けられ、エレベータ１の乗りかご４の中にはかご呼び登録手段７Ｂが設けられている。これらの呼び登録手段７Ａ，７Ｂからの呼び登録操作に応動して乗りかご４およびエレベータドア４Ａが制御装置５により制御される。エレベータ昇降路には、乗りかご４が上下動して各階に到達したとき、それを検出するかご位置検出装置６が設けられている。玄関階および各宿泊階には、エレベータ利用者に対してサービス案内をする表示装置または音声応答装置またはその両者からなる案内報知装置９が設けられている。以上述べた各構成機器はそれぞれ伝送ライン８を介して制御装置５と接続されている。ホール呼び登録手段７Ａは、ルームカード７Ｃからそれに記録されているＩＤ等のほかにロビーボタン７３からの信号を受信すると、制御装置５を介してホール呼びを形成して玄関階に乗りかご４を呼び寄せる。
【００２３】
次に宿泊者がホテルにチェックインして部屋に入るまでの一連のフローについて図４および図５を参照して説明する。宿泊者２０がホテルに到着すると、まずホテル玄関階のフロント２１に出向いてチェックイン手続きを行い、フロント係からルームカード７Ｃを受け取る（図５、ステップＳ１）。部屋に入ろうとする宿泊者はエレベータ１の玄関階ホールに着いたら、フロント２１で渡されたルームカード７Ｃの信号送信部７６を玄関階のホール呼び登録手段７Ａに向けて部屋ボタン７２を押圧して（ステップＳ２）呼び登録を行う。ホール呼び登録手段７Ａがルームカード７Ｃからの送信信号を受信すると、それを制御装置５に送信する。制御装置５が呼び登録信号を受信する（ステップＳ３）ことにより、呼び登録信号により選択された乗りかご４を玄関階に呼び寄せる（ステップＳ４）。乗りかご４が玄関階に到着する（ステップＳ５）と、制御装置５は乗りかご４が玄関階に着床した旨の着床信号をかご位置検出装置６から受信する（ステップＳ６）ことにより、制御装置５からの指示により、ホールに設置された案内報知装置９が「お部屋は１８階になります」といった具合に、宿泊者が自分の部屋に行くために降りるべき階を音声案内する（ステップＳ７）とともに、制御装置５はかご呼び登録手段７Ｂに対して、先に宿泊者がルームカード７Ｃで指定した部屋の階床を行き先階とするかご呼び登録信号を送信する（ステップＳ８）。これにより、かご呼び登録手段７Ｂの行き先階ボタンが点灯し、行き先階登録済みの状態になる（ステップＳ９）。このようにしてエレベータドア４Ａが開き、宿泊者が乗りかご４に乗り込み、エレベータドア４Ａが閉じ、乗りかご４は宿泊階に向かって運転を開始する（ステップＳ１０）。
【００２４】
乗りかご４が宿泊階に到着する（ステップＳ１１）と、乗りかご４が宿泊階に到着した旨の着床信号を制御装置５がかご位置検出装置６から受信する（ステップＳ１２）。これに伴って乗りかご４が宿泊階に着床し、エレベータドア４Ａが開き、宿泊者が乗りかご４から降りると、宿泊階の案内報知装置９が宿泊者の部屋までの経路を、例えば「○○様、お疲れさまでした。左側廊下をお進み下さい」という具合に案内報知する（ステップＳ１３）。このとき、宿泊階（目的階）に到着した旨、あるいは音声案内の内容をルームカード７Ｃのディイスプレイ７１に電波や赤外線等の無線通信手段を通じて表示させるようにしてもよい。宿泊者は案内報知装置９の案内報知やディイスプレイ７１上の表示案内に従って目的の部屋に向かう（ステップＳ１４）。宿泊者は目的の部屋の前まで歩いて行くと、部屋のルームドア２に設けられたドアロック解除装置３のルームカード挿入部３０にルームカード７Ｃを挿入する（ステップＳ１５）。ドアロック解除装置３はルームカード７Ｃのルームカード認識部７７に記録されているＩＤ等を予め登録されたＩＤ等との比較により確認認証を行い（ステップＳ１６）、間違いなし、すなわち両ＩＤ等が一致するとの確認がとれればルームドア２のロックを解除し、宿泊者が部屋の中に入ることができるようにする（ステップＳ１７）。
【００２５】
次に図１，２，６を参照して、宿泊者が自分の部屋を出て館内の所望の共用施設、例えばレストランへ行く場合のフローについて説明する。
【００２６】
宿泊者が自分の部屋を出て宿泊階のエレベータホールに着く（ステップＴ１）と、先にフロント２１で渡されたルームカード７Ｃのリモコン機能を使って呼び登録を行う。すなわち、ルームカード７Ｃの信号送信部７６をホール呼び登録登録手段７Ａに向けて「レストラン」と刻印されたレストランボタン７５を押下する（ステップＴ２）。これにより、該当する呼び登録信号が伝送ライン８を介して制御装置５に伝達され、制御装置５がそれを受信する（ステップＴ３）。その呼び登録信号により選択された乗りかご４が制御装置５を介して宿泊階に呼び寄せられる（ステップＴ４）。
【００２７】
乗りかご４が宿泊階に到着する（ステップＴ５）と、これがかご位置検出装置６により検出され、着床検出信号が制御装置５に送信される。制御装置５は着床検出信号を受信する（ステップＴ６）と、まず利用者（宿泊者）に対して、目的とする施設に行くために降りるべき行き先階をホールの案内報知装置９により音声案内する（ステップＴ７）。音声案内の内容は、例えば、「レストランは３階となっております」という具合である。着床検出信号を受信した制御装置５はさらに、かご呼び登録手段７Ｂに対して、利用者がルームカード７Ｃで指定した、目的とする施設のある階床を行き先階として、かご呼びを登録する信号をかご呼び登録手段７Ｂに送信する（ステップＴ８）。これを受信したかご呼び登録手段７Ｂは、目的階を行き先階としてかご呼び登録を行う（ステップＴ９）。宿泊階に到着した乗りかご４に利用者が乗り込み、乗りかご４は目的階へと向かう（ステップＴ１０）。乗りかご４が目的階に到着する（ステップＴ１１）と、かご位置検出装置６から着床検出信号が制御装置５に送信される。それに基づいて制御装置５から有線や電波、赤外線等を介して伝達された着床検出信号を、エレベータ乗り場に備え付けられた案内報知装置９、あるいはルームカードに内蔵された表示装置が受信する（ステップＴ１２）ことにより、案内報知装置９は、目的の施設までの経路を利用者に案内する（ステップＴ１３）。例えば、レストランに向かう場合は、「レストランへ向かうお客様は、左側廊下をお進みください。フランス料理の△△がございます」という具合である。こうして利用者は、目的とする階床において、目的とする施設（レストラン等）まで案内されながら歩いて行くことになる（ステップＳ１４）。
【００２８】
本発明では、ルームカードとして、電波や赤外線等を利用した無線式のもののほか、磁気カードによる磁気式あるいはバーコードを光学的に読み取るバーコード式のものなどを適宜利用することができる。こうすることにより、構造を簡易化することができ、部屋の変更に伴う部屋番号等の変更にも容易に対応することが可能となる。
【００２９】
本実施形態では、ホテル等での使用を一例として説明したが、本発明はホテルのみならず、カードを使用する会員制クラブやオートロック式の玄関ドアを備えたマンション等においても適用することができる。
【００３０】
本実施形態によれば、ルームカードに部屋の出入口のドアロック解除とエレベータ呼び寄せ、行き先階自動登録の機能を併せ持たせることにより、利用者は、エレベータに乗る前の１操作により乗り場呼び登録およびかご呼び登録を自動的行わせ、エレベータ乗りかごから降りた後、自分の部屋に限らず、レストランや大浴場等に行く際も含め、目的とする部屋に入るまでの良質の案内サービスを受けることができる。
【００３１】
以上の説明はホテルを対象として説明したが、類似の出入り方式を採っているマンションや企業ビル等にも適用することができる。
【００３２】
＜第２の実施の形態＞
本発明の第２の実施の形態を図７に示す。図７に示す装置は、セキュリティーコードを入力する手段を有する書き込み装置１０を一例として大浴場の入口付近に備えることにより、ルームカード７Ｃの有効／無効を一時的に切り替え得るようにしたものである。
【００３３】
図７において、大浴場の入口１５にルームカード７Ｃの機能を有効から無効、またはその逆に切り替えるための書き込み装置１０が設けられている。書き込み装置１０には、利用者のセキュリティーコード、例えばＩＤ番号または暗証番号等を入力するためのテンキー１１、有効／無効の切り替えを行うスイッチキー１２、およびルームカード挿入口１３が具備されている。セキュリティーコードはフロントで予め与えられるものとする。
【００３４】
次に本実施形態の作用を説明する。
図７において、利用者は大浴場を利用するために、ルームカード７Ｃをフロントに預けることなく自分の身から手放す場合、大浴場入口１５に備え付けられている書き込み装置１０のルームカード挿入口１３にルームカード７Ｃを通し、書き込み装置１０のテンキー１１を使ってセキュリティーコードを入力するとともに、有効／無効の切り替えを行うスイッチキー１２を押圧して「無効」に設定する。こうすることにより、入浴中に、たとえルームカード７Ｃが盗難に遭ったとしても、それを悪用することができないので、部屋内の物品が盗難に遭うなどの犯罪問題を未然に防止することができる。大浴場から部屋に戻る際は、ルームカード７Ｃを書き込み装置１０のルームカード挿入口１３に再び通し、テンキー１１によりセキュリティーコードを入力するとともに、有効／無効の切り替えを行うスイッチキー１２を再び押圧して「無効」から「有効」に切り替えればよい。
【００３５】
本実施形態によれば、利用者はセキュリティーコードを入力することにより、ルームカード７Ｃのルームキー機能の有効／無効の切り替えを行うので、例えば、ホテルの大浴場利用の際等でも、貴重品をフロントに預けたりするまでもなく、ルームカードを悪用した貴重品の盗難事件等を未然に防止することができる。
【００３６】
【発明の効果】
本発明によれば、ルームドアの施錠あるいはドアロック解錠とエレベータ呼び登録がルームカード装置に一体に組み込まれるので、行き先指定によりエレベータの呼び登録および行き先階の自動登録がなされ、エレベータ利用のサービス性を一段と向上させることができる。
【図面の簡単な説明】
【図１】本発明の第１の実施の形態を示すシステム構成図。
【図２】（ａ）は本発明に係るルームカードの一構成例を示す表面側斜視図、（ｂ）はその裏面側斜視図。
【図３】（ａ）は部屋のドアロックを解除するドアロック解除装置の配置図、（ｂ）はその拡大斜視図。
【図４】本発明の第１の実施の形態に従う入館から入室までの一連の作用を説明するための説明図。
【図５】図４の作用を説明するためのフローチャート。
【図６】第１の実施の形態において自分の部屋から所望の館内施設に行く場合の作用を説明するためのフローチャート。
【図７】本発明の第２の実施の形態を説明するための斜視図。
【図８】従来装置の構成例を示す斜視図。
【符号の説明】
１  エレベータ
２  ルームドア
３  ドアロック解除装置
４  乗りかご
４Ａ  エレベータドア
５  制御装置
６  かご位置検出装置
７Ａ  ホール呼び登録手段
７Ｂ  かご呼び登録手段
７Ｃ  ルームカード
８  伝送ライン
９  案内報知装置
１０  書き込み装置
１１  テンキー
１２  スイッチキー
１３  ルームカード挿入部
１５  大浴場入口
２０  利用者
２１  フロント
３０  ルームカード挿入部
４０  受信部
７１  ディスプレイ
７２  部屋ボタン
７３  ロビーボタン
７４  大浴場ボタン
７５  レストランボタン
７６  信号送信部
７７  ルームカード認識部
【図１】
2004262619.tif 000003
【図２】
2004262619.tif 000004
【図３】
2004262619.tif 000005
【図４】
2004262619.tif 000006
【図５】
2004262619.tif 000007
【図６】
2004262619.tif 000008
【図７】
2004262619.tif 000009
【図８】
2004262619.tif 000010